(57)【要約】【課題】遊技情報表示器８０が見やすいスロットマシン１０を提供する。【解決手段】スロットマシン１０は、前面に開口部を有する箱型の筐体２０と、筐体２０内部の所定位置に固定される回転リール３０と、筐体２０前面の開口部を塞ぐ前扉４０とを備える。前扉４０は、ヒンジを介して筐体２０に固定されるドアフレーム５０と、ドアフレーム５０に固定され且つ前扉４０を閉じたときには回転リール３０の前方に位置する四角枠型の窓枠部材６０と、窓枠部材６０の前面を覆うようにして窓枠部材６０に固定される透明な窓パネル部材７０とを備える。窓枠部材６０のほぼ中央に、回転リール３０を見るための図柄表示窓６１を設ける。窓枠部材６０における図柄表示窓６１の下側部分を下横枠部６２とする。下横枠部６２の上部に、奥方向に向かって上方に傾斜した傾斜面６６を設ける。傾斜面６６に、遊技情報表示器８０を設ける。【選択図】    図１
2004267312.tif 000002
【特許請求の範囲】
【請求項１】
前面に開口部を有する箱型の筐体と、筐体内部の所定位置に横並びに固定される複数の回転リールと、筐体前面の開口部を開閉可能に塞ぐ前扉とを備え、
前扉は、ヒンジを介して筐体に固定されるドアフレームと、ドアフレームに固定され且つ前扉を閉じたときには回転リールの前方に位置する四角枠型の窓枠部材と、窓枠部材の前面を覆うようにして窓枠部材に固定される透明な窓パネル部材とを備え、
窓枠部材のほぼ中央には、回転リールを見るための図柄表示窓とされる開口部が設けられ、
窓枠部材における図柄表示窓の下側部分を下横枠部としたときに、
下横枠部の上部には、奥方向に向かって上方に傾斜した傾斜面が設けられ、
傾斜面には、遊技に係る情報が表示される遊技情報表示器が設けられていることを特徴とするスロットマシン。
【請求項２】
窓枠部材と窓パネル部材との間には、絵柄等が付された絵柄シートが挟まれていることを特徴とする請求項１記載のスロットマシン。
【請求項３】
絵柄シートは、光透過性を有し、窓枠部材の所定位置には、絵柄シートをその背面側から照らす照明が設けられていることを特徴とする請求項２記載のスロットマシン。
【発明の詳細な説明】
【０００１】
【発明の属する技術分野】
本発明は、スロットマシンに関し、更に詳しくは、図柄表示窓とされる開口部の下側に傾斜面を設け、この傾斜面に遊技情報表示器を設けたスロットマシンに関するものである。
【０００２】
【従来の技術】
従来から、スロットマシンには、種々のものが提供されている。
図９は、従来のスロットマシン１０の一例を示すものである。
このスロットマシン１０は、前面に開口部を有する箱型の筐体２０と、筐体２０内部の所定位置に横並びに固定される複数の回転リール３０と、筐体２０前面の開口部を開閉可能に塞ぐ前扉４０とを備えている。
【０００３】
また、図９に示すように、前扉４０は、ヒンジを介して筐体２０に固定されるドアフレーム５０と、ドアフレーム５０の前面上部を覆う上パネル４７と、ドアフレーム５０の前面下部を覆う下パネル４８と、ドアフレーム５０の前面における上下の中間位置を覆う中パネル４９とを備えている。
また、上パネル４７及び下パネル４８には、所定の絵柄等が付されている。
【０００４】
また、図９に示すように、中パネル４９のほぼ中央には、回転リール３０を見るための図柄表示窓６１とされる透明部分が設けられ、また、中パネル４９における図柄表示窓６１以外の部分には、所定の絵柄等が付されている。
また、図９に示すように、中パネル４９における図柄表示窓６１の下方には、複数の遊技情報表示器８０が横並びに設けられている。また、遊技情報表示器８０は、遊技に係る情報を表示するためのものであって、例えば、７セグメントＬＥＤなどを用いて構成されている。また、遊技情報表示器８０には、例えば、メダルのクレジット枚数（ＣＲＥＤＩＴ）や、メダルの払い出し枚数（ＰＡＹ  ＯＵＴ）などが表示される。
【０００５】
また、図９に示すように、前扉４０の前面の所定位置には、クレジットされているメダルを投入するためのベットスイッチ４１や、クレジットされているメダルを払い出すためのキャンセルスイッチ４２や、回転リール３０の回転を開始させるためのスタートスイッチ４３や、回転リール３０の回転を停止させるためのストップスイッチ４４などが設けられている。
【０００６】
また、図９に示すように、前扉４０の前面下部には、メダルを払い出すための払出口４５が設けられ、また、払出口４５の下方には、払出口４５から払い出されたメダルを受け止めるための受け皿４６が設けられている。
そして、このスロットマシン１０は、メダルの投入を条件に、スタートスイッチ４３を操作すると、３個すべての回転リール３０の回転が開始し、ストップスイッチ４４を操作すると、当該ストップスイッチ４４に対応した回転リール３０の回転が停止し、３個すべての回転リール３０の回転が停止したときに、所定の図柄が所定の入賞ライン上に揃うと、遊技者に対して所定の利益が付与されるようになっている。
【０００７】
【特許文献１】
特開２００２−３４６１６１号公報
【０００８】
【発明が解決しようとする課題】
ところで、従来のスロットマシンは、遊技情報表示器を、中パネルにおける図柄表示窓の下方に、しかも水平方向前向きに設けていた。このため、遊技情報表示器が見にくかったのである。
（請求項１）
そこで、請求項１記載の発明は、図柄表示窓とされる開口部の下側に傾斜面を設け、この傾斜面に遊技情報表示器を設けることにより、遊技情報表示器が見やすいスロットマシンを提供することを目的とする。
【０００９】
（請求項２）
また、請求項２記載の発明は、請求項１記載の発明の目的に加え、図柄表示窓を有する窓枠部材と、この窓枠部材の前面を覆う透明な窓パネル部材との間に、絵柄等が付された絵柄シートを挟むことにより、見栄えが良く、また、窓枠部材や窓パネル部材に直接絵柄等を付さなくても済むことから製造が比較的容易なスロットマシンを提供することを目的とする。
【００１０】
（請求項３）
更に、請求項３記載の発明は、請求項２記載の発明の目的に加え、窓枠部材の所定位置に、絵柄シートをその背面側から照らす照明を設けることにより、見栄えがより一層良く、また、照明の点灯、消灯又は点滅などにより種々の表示が可能なスロットマシンを提供することを目的とする。
【００１１】
【課題を解決するための手段】
（請求項１）
請求項１記載の発明は、スロットマシン（１０）に係るものであって、前面に開口部を有する箱型の筐体（２０）と、筐体（２０）内部の所定位置に横並びに固定される複数の回転リール（３０）と、筐体（２０）前面の開口部を開閉可能に塞ぐ前扉（４０）とを備え、前扉（４０）は、ヒンジを介して筐体（２０）に固定されるドアフレーム（５０）と、ドアフレーム（５０）に固定され且つ前扉（４０）を閉じたときには回転リール（３０）の前方に位置する四角枠型の窓枠部材（６０）と、窓枠部材（６０）の前面を覆うようにして窓枠部材（６０）に固定される透明な窓パネル部材（７０）とを備え、窓枠部材（６０）のほぼ中央には、回転リール（３０）を見るための図柄表示窓（６１）とされる開口部が設けられ、窓枠部材（６０）における図柄表示窓（６１）の下側部分を下横枠部（６２）としたときに、下横枠部（６２）の上部には、奥方向に向かって上方に傾斜した傾斜面（６６）が設けられ、傾斜面（６６）には、遊技に係る情報が表示される遊技情報表示器（８０）が設けられていることを特徴とする。
【００１２】
ここで、「窓枠部材（６０）」は、ドアフレーム（５０）に固定される部材であって、前扉（４０）を閉じたときには回転リール（３０）の前方に位置する部材である。また、窓枠部材（６０）は、四角枠型に形成されており、そのほぼ中央には、回転リール（３０）を見るための図柄表示窓（６１）とされる開口部が設けられている。
【００１３】
また、「図柄表示窓（６１）」は、回転リール（３０）を見るための開口部であって、窓枠部材（６０）のほぼ中央に設けられている。
また、「下横枠部（６２）」は、窓枠部材（６０）における図柄表示窓（６１）の下側部分をいう。
また、「傾斜面（６６）」は、下横枠部（６２）の上部に設けられており、奥方向に向かって上方に傾斜している。また、「奥方向」とは、スロットマシン（１０）を前面から見たときの奥方向を意味する。言い換えれば、傾斜面（６６）は、図柄表示窓（６１）とされる開口部の下側に設けられており、斜め上向き、かつ、窓パネル部材（７０）向きに形成されている。
【００１４】
また、「遊技情報表示器（８０）」は、遊技に係る情報を表示するためのものである。遊技情報表示器（８０）は、傾斜面（６６）に設けられている。また、遊技情報表示器（８０）は、例えば、ＬＥＤランプや、７セグメントＬＥＤなどを用いて構成することができる。また、遊技情報表示器（８０）には、遊技に係る情報として、例えば、メダルの投入枚数や、メダルのクレジット枚数（ＣＲＥＤＩＴ）や、メダルの払い出し枚数（ＰＡＹ  ＯＵＴ）や、特定導入遊技（ＢＢゲーム）中の遊技の回数などを表示することができる。
【００１５】
また、「窓パネル部材（７０）」は、窓枠部材（６０）の前面を覆うようにして窓枠部材（６０）に固定される透明な部材である。
すなわち、本発明に係るスロットマシン（１０）では、遊技者は、窓パネル部材（７０）及び図柄表示窓（６１）を通して、回転リール（３０）を見るようになっている。
【００１６】
このように、本発明に係るスロットマシン（１０）は、図柄表示窓（６１）とされる開口部の下側に、奥方向に向かって上方に傾斜する傾斜面（６６）を設け、この傾斜面（６６）に遊技情報表示器（８０）を設けている。このため、遊技情報表示器（８０）が見やすいのである。
また、本発明に係るスロットマシン（１０）は、傾斜面（６６）の手前側に、透明な窓パネル部材（７０）を備えている。このため、傾斜面（６６）や遊技情報表示器（８０）にほこり等が積もりにくいのである。
【００１７】
（請求項２）
請求項２記載の発明は、請求項１記載のスロットマシン（１０）を限定したものであって、窓枠部材（６０）と窓パネル部材（７０）との間には、絵柄等が付された絵柄シート（９０）が挟まれていることを特徴とする。
ここで、「絵柄シート（９０）」は、窓枠部材（６０）と窓パネル部材（７０）との間に挟まれるシートであって、絵柄等が付されたシートである。また、「絵柄等」とは、例えば、絵柄、キャラクター、文字、図形、記号、模様、あるいは色彩などを意味する。また、絵柄シート（９０）の基材には、例えば、プラスチックシートを用いてもよく、また、紙を用いてもよい。
【００１８】
このように、本発明に係るスロットマシン（１０）は、窓枠部材（６０）と窓パネル部材（７０）との間に絵柄シート（９０）を挟んでいる。このため、見栄えが良く、また、窓枠部材（６０）や窓パネル部材（７０）に直接絵柄等を付さなくても済むので、製造が比較的容易なのである。
（請求項３）
請求項３記載の発明は、請求項２記載のスロットマシン（１０）を限定したものであって、絵柄シート（９０）は、光透過性を有し、窓枠部材（６０）の所定位置には、絵柄シート（９０）をその背面側から照らす照明（１００）が設けられていることを特徴とする。
【００１９】
ここで、「光透過性を有する」とは、光を通すことを意味する。
例えば、絵柄シート（９０）の基材に透明又は半透明のプラスチックシートを用いるとともに、絵柄等に透明又は半透明の色材を用いることにより、光透過性を有する絵柄シート（９０）を形成することができる。
また、「照明（１００）」は、窓枠部材（６０）の所定位置に設けられ、そして、絵柄シート（９０）をその背面側から照らすものである。
【００２０】
このように、本発明に係るスロットマシン（１０）は、窓枠部材（６０）の所定位置に、絵柄シート（９０）をその背面側から照らす照明（１００）を設けている。このため、見栄えがより一層良く、また、照明（１００）の点灯、消灯又は点滅などにより種々の表示が可能なのである。
【００２１】
【発明の実施の形態】
（図面の説明）
図１ないし図８は、本発明の実施の形態を示すものである。
図１は、スロットマシン１０の外観正面図、図２は、スロットマシン１０の分解斜視図、図３は、窓枠部材６０の正面図、図４は、窓パネル部材７０の正面図、図５は、絵柄シート９０の正面図、図６は、窓枠部材６０と窓パネル部材７０とを組み合わせた状態を示す正面図（絵柄シート９０を挟まずに組み合わせた状態）、図７は、窓枠部材６０と窓パネル部材７０とを組み合わせた状態を示す正面図（絵柄シート９０を挟んで組み合わせた状態）、図８は、スロットマシン１０の要部側断面図である。
【００２２】
（スロットマシン１０）
図１及び図２に示すように、本実施の形態に係るスロットマシン１０は、前面に開口部を有する箱型の筐体２０と、筐体２０内部の所定位置に横並びに固定される複数の回転リール３０と、筐体２０前面の開口部を開閉可能に塞ぐ前扉４０とを備えている。
【００２３】
また、図１及び図２に示すように、前扉４０は、ヒンジを介して筐体２０に固定されるドアフレーム５０と、ドアフレーム５０の前面上部を覆う上パネル４７と、ドアフレーム５０の前面下部を覆う下パネル４８と、ドアフレーム５０に固定され且つ前扉４０を閉じたときには回転リール３０の前方に位置する四角枠型の窓枠部材６０と、窓枠部材６０の前面を覆うようにして窓枠部材６０に固定される透明な窓パネル部材７０とを備えている。
【００２４】
また、上パネル４７及び下パネル４８には、所定の絵柄等が付されている。
また、図１ないし図３に示すように、窓枠部材６０のほぼ中央には、回転リール３０を見るための図柄表示窓６１とされる開口部が設けられている。すなわち、本実施の形態に係るスロットマシン１０では、遊技者は、窓パネル部材７０及び図柄表示窓６１を通して、回転リール３０を見るようになっている。
【００２５】
また、窓枠部材６０における図柄表示窓６１の下側部分を下横枠部６２としたときに、下横枠部６２の上部には、奥方向に向かって上方に傾斜した傾斜面６６が設けられている。また、傾斜面６６には、複数の遊技情報表示器８０が設けられている。また、遊技情報表示器８０は、遊技に係る情報を表示するためのものであって、ＬＥＤランプなどを用いて構成されている。また、遊技情報表示器８０には、遊技に係る情報として、例えば、メダルの投入枚数や、特定導入遊技（ＢＢゲーム）中の遊技の回数などが表示されるようになっている。
【００２６】
また、窓枠部材６０と窓パネル部材７０との間には、絵柄等が付された絵柄シート９０が挟まれている。また、絵柄シート９０は、光透過性を有し、また、窓枠部材６０の所定位置には、絵柄シート９０をその背面側から照らす照明１００が設けられている。
また、図１に示すように、前扉４０の前面の所定位置には、クレジットされているメダルを投入するためのベットスイッチ４１や、クレジットされているメダルを払い出すためのキャンセルスイッチ４２や、回転リール３０の回転を開始させるためのスタートスイッチ４３や、回転リール３０の回転を停止させるためのストップスイッチ４４などが設けられている。
【００２７】
また、図１に示すように、前扉４０の前面下部には、メダルを払い出すための払出口４５が設けられ、また、払出口４５の下方には、払出口４５から払い出されたメダルを受け止めるための受け皿４６が設けられている。
また、筐体２０の内部には、スロットマシン１０を制御するための制御装置が設けられている。
【００２８】
そして、本実施の形態に係るスロットマシン１０は、メダルの投入を条件に、スタートスイッチ４３を操作すると、３個すべての回転リール３０の回転が開始し、ストップスイッチ４４を操作すると、当該ストップスイッチ４４に対応した回転リール３０の回転が停止し、３個すべての回転リール３０の回転が停止したときに、所定の図柄が所定の入賞ライン上に揃うと、遊技者に対して所定の利益が付与されるようになっている。
【００２９】
（制御装置）
制御装置は、スロットマシン１０を制御するためのものである。
この制御装置は、ＣＰＵ、ＲＡＭ、ＲＯＭ、及びＩ／Ｏなどを備えている。
また、この制御装置の入力手段には、ベットスイッチ４１、キャンセルスイッチ４２、スタートスイッチ４３、及びストップスイッチ４４などが接続されている。
【００３０】
また、この制御装置の出力手段には、３個の回転リール３０を備えたリールユニット、メダルを払い出すためのホッパーユニット、演出用ランプ、スピーカ、遊技情報表示器８０、及び照明１００などが接続されている。
そして、この制御装置は、ＣＰＵがＲＯＭに記憶された所定のプログラムを実行することにより、遊技を制御するための遊技制御手段、遊技情報表示器８０を制御するための表示器制御手段、及び照明１００を制御するための照明制御手段などとして機能する。
【００３１】
（窓枠部材６０）
窓枠部材６０は、ドアフレーム５０に固定される部材であって、前扉４０を閉じたときには回転リール３０の前方に位置する部材である。
図３に示すように、この窓枠部材６０は、四角枠型に形成されており、そのほぼ中央には、回転リール３０を見るための図柄表示窓６１とされる開口部が設けられている。すなわち、図柄表示窓６１は、回転リール３０を見るための開口部であって、窓枠部材６０のほぼ中央に設けられている。
【００３２】
また、図３に示すように、この窓枠部材６０は、図柄表示窓６１の下側に下横枠部６２を有し、同上側には上横枠部６３を有し、同右側には右縦枠部６４を有し、同左側には左縦枠部６５を有している。すなわち、下横枠部６２は、窓枠部材６０における図柄表示窓６１の下側部分であり、また、上横枠部６３は、窓枠部材６０における図柄表示窓６１の上側部分であり、また、右縦枠部６４は、窓枠部材６０における図柄表示窓６１の右側部分であり、また、左縦枠部６５は、窓枠部材６０における図柄表示窓６１の左側部分である。
【００３３】
また、図３及び図８に示すように、下横枠部６２の上部には、奥方向に向かって上方に傾斜した傾斜面６６が設けられている。すなわち、傾斜面６６は、下横枠部６２の上部に設けられている。そして、傾斜面６６は、奥方向に向かって上方に傾斜している。また、「奥方向」とは、スロットマシン１０を前面から見たときの奥方向を意味する。言い換えれば、傾斜面６６は、図柄表示窓６１とされる開口部の下側に設けられている。そして、傾斜面６６は、斜め上向き、かつ、窓パネル部材７０向きに形成されている。
【００３４】
また、図３に示すように、傾斜面６６には、複数の表示器設置穴６７が設けられている。また、表示器設置穴６７は、遊技情報表示器８０を設置するための穴である。
また、図３に示すように、右縦枠部６４には、５つの照明設置穴６８が縦並びに設けられているとともに、これらの下方には、表示器設置穴６７が設けられている。また、照明設置穴６８は、照明１００を設置するための穴である。
【００３５】
また、図３に示すように、左縦枠部６５にも、右縦枠部６４と同様に、５つの照明設置穴６８が縦並びに設けられているとともに、これらの下方には、表示器設置穴６７が設けられている。
また、図３に示すように、上横枠部６３の上部、及び下横枠部６２の下部には、窓枠部材６０をドアフレーム５０に固定するための固定部６９が設けられている。そして、この固定部６９をドアフレーム５０の所定位置にビス止めすることにより、窓枠部材６０がドアフレーム５０の所定位置に固定されるようになっている。
【００３６】
なお、窓枠部材６０は、ドアフレーム５０の背面側から、ドアフレーム５０の所定位置に固定される。また、窓枠部材６０のドアフレーム５０への固定は、窓パネル部材７０が窓枠部材６０に固定された後に行われる。すなわち、先に、窓パネル部材７０が窓枠部材６０に固定され、その後に、窓枠部材６０がドアフレーム５０に固定されるのである。
【００３７】
（窓パネル部材７０）
窓パネル部材７０は、窓枠部材６０の前面を覆うようにして窓枠部材６０に固定される透明な部材である。
図４に示すように、この窓パネル部材７０は、窓枠部材６０の前面全体を覆う四角板状のパネル部７１と、窓枠部材６０の傾斜面６６を覆う傾斜面覆部７２と、窓枠部材６０の右縦枠部６４を覆う右縦枠覆部７３と、窓枠部材６０の左縦枠部６５を覆う左縦枠覆部７４とを有している。
【００３８】
そして、図６に示すように、この窓パネル部材７０は、窓枠部材６０の前面に被せられるようにして、窓枠部材６０に固定されるようになっている。
（絵柄シート９０）
絵柄シート９０は、窓枠部材６０と窓パネル部材７０との間に挟まれるシートであって、絵柄等が付されたシートである。すなわち、窓枠部材６０と窓パネル部材７０との間には、この絵柄シート９０が挟まれるようになっている。
【００３９】
また、「絵柄等」とは、例えば、絵柄、キャラクター、文字、図形、記号、模様、あるいは色彩などを意味する。
また、本実施の形態に係るスロットマシン１０では、絵柄シート９０の基材には、透明なプラスチックシートが用いられ、また、絵柄等には、主として、透明又は半透明の色材が用いられている。このため、絵柄シート９０は、光透過性を有している。また、「光透過性を有する」とは、光を通すことを意味する。
【００４０】
また、図５に示すように、絵柄シート９０は、窓枠部材６０の傾斜面６６、右縦枠部６４及び左縦枠部６５の形状に合わせた「コ」の字形に形成されている。
また、図５に示すように、絵柄シート９０の所定位置には、所定の切り込み９１が設けられている。これにより、絵柄シート９０は、窓枠部材６０の傾斜面６６、右縦枠部６４及び左縦枠部６５の表面に沿うようになっている。
【００４１】
そして、図７に示すように、絵柄シート９０は、窓枠部材６０の傾斜面６６、右縦枠部６４及び左縦枠部６５と、窓パネル部材７０の傾斜面覆部７２、右縦枠覆部７３及び左縦枠覆部７４との間に挟まれるようになっている。
（遊技情報表示器８０）
遊技情報表示器８０は、遊技に係る情報を表示するためのものである。
【００４２】
本実施の形態に係るスロットマシン１０では、遊技情報表示器８０は、窓枠部材６０の傾斜面６６と右縦枠部６４と左縦枠部６５とに設けられている。
具体的には、窓枠部材６０の傾斜面６６に設けた各表示器設置穴６７には、それぞれ、遊技情報表示器８０としてのＬＥＤランプが設けられている。そして、これらのＬＥＤランプによって、メダルの投入枚数や、特定導入遊技（ＢＢゲーム）中の遊技の回数などが表示されるようになっている。
【００４３】
また、窓枠部材６０の右縦枠部６４に設けた表示器設置穴６７には、遊技情報表示器８０としての７セグメントＬＥＤが設けられている。そして、この７セグメントＬＥＤには、メダルのクレジット枚数（ＣＲＥＤＩＴ）が表示されるようになっている。
また、窓枠部材６０の左縦枠部６５に設けた表示器設置穴６７には、遊技情報表示器８０としての７セグメントＬＥＤが設けられている。そして、この７セグメントＬＥＤには、メダルの払い出し枚数（ＰＡＹ  ＯＵＴ）が表示されるようになっている。
【００４４】
また、これらの遊技情報表示器８０は、制御装置が備える表示器制御手段によって制御されるようになっている。
（照明１００）
照明１００は、絵柄シート９０をその背面側から照らすためのものである。
本実施の形態に係るスロットマシン１０では、照明１００は、窓枠部材６０の右縦枠部６４と左縦枠部６５とに設けられている。
【００４５】
具体的には、窓枠部材６０の右縦枠部６４に設けた各照明設置穴６８には、それぞれ、照明１００が設けられている。そして、これらの照明１００を点灯、消灯又は点滅させることにより、「ＬＵＣＫＹ  ＣＨＡＮＣＥ」などの種々の表示が可能とされている。
また、窓枠部材６０の左縦枠部６５に設けた各照明設置穴６８にも、それぞれ、照明１００が設けられている。そして、これらの照明１００を点灯、消灯又は点滅させることにより、「メダルの投入枚数」や「入賞図柄が揃った入賞ライン」などの種々の表示が可能とされている。
【００４６】
また、これらの照明１００は、制御装置が備える照明制御手段によって制御されるようになっている。
このように、本実施の形態に係るスロットマシン１０は、図柄表示窓６１とされる開口部の下側に、奥方向に向かって上方に傾斜する傾斜面６６を設け、この傾斜面６６に遊技情報表示器８０を設けている。このため、遊技情報表示器８０が見やすいのである。
【００４７】
また、本実施の形態に係るスロットマシン１０は、傾斜面６６の手前側に、透明な窓パネル部材７０を備えている。このため、傾斜面６６や遊技情報表示器８０にほこり等が積もりにくいのである。
また、本実施の形態に係るスロットマシン１０は、窓枠部材６０と窓パネル部材７０との間に絵柄シート９０を挟んでいる。このため、見栄えが良く、また、窓枠部材６０や窓パネル部材７０に直接絵柄等を付さなくても済むので、製造が比較的容易なのである。
【００４８】
更に、本実施の形態に係るスロットマシン１０は、窓枠部材６０の所定位置に、絵柄シート９０をその背面側から照らす照明１００を設けている。このため、見栄えが良く、また、照明１００の点灯、消灯又は点滅などにより種々の表示が可能なのである。
【００４９】
【発明の効果】
（請求項１）
以上説明したように、請求項１記載の発明によれば、図柄表示窓とされる開口部の下側に傾斜面を設け、この傾斜面に遊技情報表示器を設けたことから、遊技情報表示器が見やすいスロットマシンを提供できるのである。
【００５０】
（請求項２）
また、請求項２記載の発明によれば、請求項１記載の発明の効果に加え、図柄表示窓を有する窓枠部材と、この窓枠部材の前面を覆う透明な窓パネル部材との間に、絵柄等が付された絵柄シートを挟んだことから、見栄えが良く、また、窓枠部材や窓パネル部材に直接絵柄等を付さなくても済むので、製造が比較的容易なスロットマシンを提供できるのである。
【００５１】
（請求項３）
更に、請求項３記載の発明によれば、請求項２記載の発明の効果に加え、窓枠部材の所定位置に、絵柄シートをその背面側から照らす照明を設けたことから、見栄えがより一層良く、また、照明の点灯、消灯又は点滅などにより種々の表示が可能なスロットマシンを提供できるのである。
【図面の簡単な説明】
【図１】本発明の実施の形態に係るスロットマシンの外観正面図。
【図２】本発明の実施の形態に係るスロットマシンの分解斜視図。
【図３】本発明の実施の形態に係るスロットマシンの窓枠部材の正面図。
【図４】本発明の実施の形態に係るスロットマシンの窓パネル部材の正面図。
【図５】本発明の実施の形態に係るスロットマシンの絵柄シートの正面図。
【図６】本発明の実施の形態に係るスロットマシンの窓枠部材と窓パネル部材とを組み合わせた状態を示す正面図（絵柄シートを挟まずに組み合わせた状態）。
【図７】本発明の実施の形態に係るスロットマシンの窓枠部材と窓パネル部材とを組み合わせた状態を示す正面図（絵柄シートを挟んで組み合わせた状態）。
【図８】本発明の実施の形態に係るスロットマシンの要部側断面図。
【図９】従来のスロットマシンの外観正面図。
【符号の説明】
１０  スロットマシン              ２０  筐体
３０  回転リール                  ４０  前扉
４１  ベットスイッチ              ４２  キャンセルスイッチ
４３  スタートスイッチ            ４４  ストップスイッチ
４５  払出口                      ４６  受け皿
４７  上パネル                    ４８  下パネル
４９  中パネル                  ５０  ドアフレーム
６０  窓枠部材                    ６１  図柄表示窓
６２  下横枠部                    ６３  上横枠部
６４  右縦枠部                    ６５  左縦枠部
６６  傾斜面                      ６７  表示器設置穴
６８  照明設置穴                  ６９  固定部
７０  窓パネル部材                ７１  パネル部
７２  傾斜面覆部                  ７３  右縦枠覆部
７４  左縦枠覆部                  ８０  遊技情報表示器
９０  絵柄シート                  ９１  切り込み
１００  照明
【図１】
2004267312.tif 000003
【図２】
2004267312.tif 000004
【図３】
2004267312.tif 000005
【図４】
2004267312.tif 000006
【図５】
2004267312.tif 000007
【図６】
2004267312.tif 000008
【図７】
2004267312.tif 000009
【図８】
2004267312.tif 000010
【図９】
2004267312.tif 000011